(57)【要約】【課題】前面側熱交換器と背面側熱交換器との間に設置されている遮風板での結露発生時の水飛びを防止するとともに、遮風板に対する断熱材の貼り付けを不要にできる空気調和機を提供することを目的とする。【解決手段】筐体２の内部に、前面側熱交換器１７Ａ，１７Ｂ，１７Ｃと背面側熱交換器１７Ｄとが概略断面Λ形状に配置され、その上端部間の隙間に遮風板２４が設けられている室内熱交換器１７と送風ファン１８とが配設されている空気調和機１において、遮風板２４は、前面側熱交換器１７Ｃまたは背面側熱交換器１７Ｄのいずれか一方側に向って下向きに傾斜された傾斜面２７Ａを有し、該傾斜面２７Ａの最低部位に結露水を排出する排水孔２８が一方側熱交換器１７Ｃまたは１７Ｄと接するように設けられている。【選択図】図３
2010121826.tif 000002
【特許請求の範囲】
【請求項１】
前面および上面に吸込み口、前面下部に吹出し口が設けられている筐体の内部に、前面側熱交換器と背面側熱交換器とが概略Λ形状に配置され、その上端部間の隙間に遮風板が設けられている室内熱交換器と送風ファンとが配設されている空気調和機において、
前記遮風板は、前記前面側熱交換器または前記背面側熱交換器のいずれか一方側に向って下向きに傾斜された傾斜面を有し、該傾斜面の最低部位に結露水を排出する排水孔が前記一方側熱交換器と接するように設けられていることを特徴とする空気調和機。
【請求項２】
前記遮風板の傾斜面は、前記背面側熱交換器に向って下向きに傾斜されていることを特徴とする請求項１に記載の空気調和機。
【請求項３】
前記排水孔は、前記遮風板の幅方向に沿って所定間隔で複数箇所に設けられていることを特徴とする請求項１または２に記載の空気調和機。
【請求項４】
前記排水孔は、前記遮風板の幅方向に沿ったスリット形状の孔とされていることを特徴とする請求項１ないし３のいずれかに記載の空気調和機。
【発明の詳細な説明】
【技術分野】
【０００１】
本発明は、筐体内に前面側熱交換器と背面側熱交換器とに分割された室内熱交換器が概略Λ形状に配置されている空気調和機に関するものである。
【背景技術】
【０００２】
空気調和機の室内機において、室内熱交換器の伝熱面積を確保するため、室内熱交換器を少なくとも前面側熱交換器と背面側熱交換器とに２分割し、両熱交換器を前面および上面に吸込み口、前面下部に吹出し口が設けられている筐体の内部に、概略Λ形状に配設した構成としている室内機は広く知られている。また、上記の前面側熱交換器を更に複数の熱交換器に分割し、くの字形状に折り曲げ配置している構成の室内機も周知である。
【０００３】
上記のように構成されている空気調和機の室内機において、前面側熱交換器および背面側熱交換器を、配置上の関係等から両熱交換器の上端部間に所定の隙間が存するように配設した構成としているものが存在する。この場合、前面側熱交換器と背面側熱交換器との間の隙間から、空気が室内熱交換器をバイパスして流れないように、該隙間に対して遮風板を設置している（例えば、特許文献１，２，３参照）。
【０００４】
【特許文献１】特許第３８５４４００号公報
【特許文献２】特開２００１−２４８８５５号公報
【特許文献３】特開２００７−４０５４４号公報
【発明の開示】
【発明が解決しようとする課題】
【０００５】
ところで、上記構成の室内機において、冷房運転時、前面側熱交換器および背面側熱交換器の上端部に設けられている遮風板の表面で結露水が発生することがある。この結露水が水滴となって成長し、遮風板上に滞留することで冷風中に飛散する場合があり、それが冷風と伴われて室内に飛び出すことによって、いわゆる水飛び現象の原因の１つとなっていた。一方で、この水飛びを防止するため、遮風板の表面に断熱材を貼り付ける等の対策が採られているが、断熱材の使用量が増大するとともに、その貼り付け作業が必要となることから、生産性が低下しコスト高の要因となっていた。
【０００６】
本発明は、このような事情に鑑みてなされたものであって、前面側熱交換器と背面側熱交換器との間に設置されている遮風板での結露発生時の水飛びを防止するとともに、遮風板に対する断熱材の貼り付けを不要にできる空気調和機を提供することを目的とする。
【課題を解決するための手段】
【０００７】
上記課題を解決するために、本発明の空気調和機は、以下の手段を採用する。
すなわち、本発明にかかる空気調和機は、前面および上面に吸込み口、前面下部に吹出し口が設けられている筐体の内部に、前面側熱交換器と背面側熱交換器とが概略Λ形状に配置され、その上端部間の隙間に遮風板が設けられている室内熱交換器と送風ファンとが配設されている空気調和機において、前記遮風板は、前記前面側熱交換器または前記背面側熱交換器のいずれか一方側に向って下向きに傾斜された傾斜面を有し、該傾斜面の最低部位に結露水を排出する排水孔が前記一方側熱交換器と接するように設けられていることを特徴とする。
【０００８】
本発明によれば、概略Λ形状に配置されている前面側熱交換器と背面側熱交換器間の隙間に設けられている遮風板が、前面側熱交換器または前記背面側熱交換器のいずれか一方側に向って下向きに傾斜された傾斜面を有し、傾斜面の最低部位に結露水を排出する排水孔が一方側熱交換器と接するように設けられているため、仮に遮風板の表面等で結露水が発生したとしても、それを傾斜面に沿って速やかに排水孔に導き、排水孔からそれが接している一方側熱交換器の表面へと流出させ、当該熱交換器の表面を流下させて下方のドレンパン内に排出することができる。従って、遮風板での結露水が水滴となって冷風中に飛散し、室内に飛び出す水飛び現象を防止することができる。また、水飛び現象の防止策として遮風板に貼り付ける断熱材を省略することができるため、断熱材の使用量の削減と貼り付け作業の省略化並びにコスト低減を図ることができる。
【０００９】
さらに、本発明の空気調和機は、上記の空気調和機において、前記遮風板の傾斜面は、前記背面側熱交換器に向って下向きに傾斜されていることを特徴とする。
【００１０】
本発明によれば、遮風板の傾斜面が、背面側熱交換器に向って下向きに傾斜されているため、仮に遮風板の表面等で結露水が発生したとしても、該結露水を傾斜面に沿って速やかにかつ確実に背面側の熱交換器側へと誘導することができる。従って、万が一遮風板から水滴が飛散したとしても、それを確実に筐体内の背面側、すなわち背面側熱交換器へと誘導できるので、水滴が直接室内側に飛び散るのを防止することができる。
【００１１】
また、本発明の空気調和機は、上述のいずれかの空気調和機において、前記排水孔は、前記遮風板の幅方向に沿って所定間隔で複数箇所に設けられていることを特徴とする。
【００１２】
本発明によれば、排水孔が、遮風板の幅方向に沿って所定間隔で複数箇所に設けられているため、遮風板の幅方向のいずれの部位で結露水が発生したとしても、直近の排水孔に導き速やかに排出することができる。従って、結露水が遮風板上で滞留することによって生じる水滴の飛散を確実に防止することができる。
【００１３】
また、本発明の空気調和機は、上述のいずれかの空気調和機において、前記排水孔は、前記遮風板の幅方向に沿ったスリット形状の孔とされていることを特徴とする。
【００１４】
本発明によれば、排水孔が、遮風板の幅方向に沿ったスリット形状の孔とされているため、遮風板側から一方側の熱交換器に結露水を排出する排水孔により構成される排水流路を最小面積で最大化することが可能となる。従って、遮風機能を十分に満たしながら、必要かつ十分な排水流路を確保することができる。
【発明の効果】
【００１５】
本発明によると、仮に遮風板の表面等で結露水が発生したとしても、それを傾斜面に沿って速やかに排水孔に導き、排水孔からそれが接している一方側熱交換器の表面へと流出させ、該熱交換器の表面を流下させてドレンパン内に排出することができるため、遮風板での結露水が水滴となって冷風中に飛散し、室内に飛び出す水飛び現象を防止することができる。また、水飛び現象の防止策として遮風板に貼り付ける断熱材を省略することができるため、断熱材の使用量の削減と貼り付け作業の省略化並びにコスト低減を図ることができる。
【発明を実施するための最良の形態】
【００１６】
以下に、本発明にかかる実施形態について、図面を参照して説明する。
以下、本発明の一実施形態について、図１ないし図４を用いて説明する。
図１には、本発明の一実施形態に係る壁掛け形空気調和機の外観斜視図が示され、図２には、その縦断面図が示されている。
空気調和機（室内機）１は、横長の直方体形状の筐体２を備えている。この筐体２は、筐体２の背面側を構成するベース３と、ベース３の前面側に被せられている前面パネル４と、前面パネル４の前面開口部５を覆っている吸込みパネル６と、前面パネル４の前面と下面間に配設されている吹出しグリル７等によって構成されている。
【００１７】
ベース３には、後述の室内熱交換器１７を構成する背面側熱交換器１７Ｄから流下するドレンを受ける背面側ドレンパン８と、後述するクロスフローファン（送風ファン）１８から吹出される空気の流路を形成する空気流路壁９と、冷媒配管類１０を収容する配管収容部１１等が一体に成形されている。前面パネル４には、上面に吸込みグリル１２が形成されているとともに、前面の開口部５の前方に吸込みパネル６が上方部を支点に上方に開閉可能に設置され、その下方部に吸込み口１３が開口されている。また、前面パネル４の前面と下面間に配設されている吹出しグリル７には、吹出し口１４が開口されている。
【００１８】
筐体２の内部には、吸込み口１３を含む前面パネル４の前面開口部５および吸込みグリル１２に沿って、エアフィルタ１５および空気浄化フィルタ１６が配設されており、その下流側に室内熱交換器１７が配設されている。室内熱交換器１７は、図２に示されているように、複数の前面側熱交換器１７Ａないし１７Ｃと背面側熱交換器１７Ｄとに分割されており、筐体２内の前面下部から上面および背面側にかけて、断面が概略Λ形状となるように折り曲げられて配設されている。つまり、室内熱交換器１７の前面側熱交換器１７Ａないし１７Ｃと背面側熱交換器１７Ｄとは、それぞれの上端同士が互いに近接するとともに、下端側に行くにつれてその間隔が漸次広くなるように配設されている、いわゆるΛ形状配置とされている。
【００１９】
室内熱交換器１７の下流側の空間内には、細長い筒形形状とされたクロスフローファン（送風ファン）１８が水平軸周りに回転自在に配設され、筐体２内の右側部にベース３を介して配設されている図示省略のファンモータにより駆動されるように構成されている。このクロスフローファン１８の下流側前方には、吹出しグリル７と一体成形されたスタビライザ１９が配設されており、該スタビライザ１８とベース３に成形されている空気流路壁９とによって、吹出し口１４に至る吹出し流路２０が形成されている。
【００２０】
吹出しグリル７には、室内熱交換器１７を構成している熱交換器１７Ａないし１７Ｃから流下するドレンを受ける前面側ドレンパン２１が、スタビライザ１９と共に一体に成形されている。また、吹出しグリル７には、吹出し口１４から吹出される温調風の風向を左右方向に調整する複数枚の縦ルーバ（ルーバ）２２が回動可能に配設されるとともに、温調風の風向を上下方向に調整する上下２枚の水平フラップ（フラップ）２３が回動可能に配設されている。
【００２１】
室内熱交換器１７は、上記したように、複数の前面側熱交換器１７Ａないし１７Ｃと背面側熱交換器１７Ｄとに分割され、筐体２内の前面下部から上面および背面側にかけて概略Λ形状に折り曲げられて配設されているが、前面側熱交換器１７Ｃと背面側熱交換器１７Ｄの上端部間には、所定の隙間が形成されるように配置されている。そして、当該隙間は、空気が室内熱交換器１７をバイパスして下流側に流れないように遮風板２４によって遮蔽されている。
【００２２】
遮風板２４は、図３および図４に示されるように、室内熱交換器１７の幅方向寸法と同一寸法長さとされており、その長手方向の前端部および後端部に、各々前面側熱交換器１７Ｃおよび背面側熱交換器１７Ｄの上端部に係止するための係止部２５，２６が設けられるとともに、両係止部２５，２６間を繋ぐ連結部２７を備えた構成とされている。この連結部２７の上面は、背面側熱交換器１７Ｄに向って下向きに僅かに傾斜（例えば、３度ないし７度、望ましくは５度）された傾斜面２７Ａとされている。
【００２３】
また、上記した傾斜面２７Ａの最低部位には、遮風板２４の表面で結露した結露水を背面側の熱交換器１７Ｄ側に排出するための排水孔２８が、背面側熱交換器１７Ｄの端面と接するように遮風板２４に穿設されている。この排水孔２８は、遮風板２４の幅方向に沿って所定の間隔（ほぼ等間隔）で複数箇所に穿設されるとともに、各排水孔２８は、それぞれ遮風板２４の幅方向に沿う所定の長さを有するスリット形状の孔によって構成されている。
【００２４】
以上に説明の構成により、本実施形態によれば、以下の作用効果を奏する。
空気調和機１は、クロスフローファン（送風ファン）１８が回転されることにより、室内の空気を吸込みグリル１２および吸込み口１３を介して筐体２内に吸込んでいる。筐体２内に吸込まれた空気は、エアフィルタ１５および空気浄化フィルタ１６によって浄化された後、複数の前面側熱交換器１７Ａないし１７Ｃと背面側熱交換器１７Ｄとからなる室内熱交換器１７に流通され、該室内熱交換器１７を介して冷媒と熱交換されることにより冷却または加熱される。
【００２５】
この温調風は、クロスフローファン（送風ファン）１８により付勢され、吹出し流路２０を経て吹出し口１４から室内へと吹出されることにより、室内の空調に供される。室内に吹出される温調風は、吹出し口１４に設けられている縦ルーバ（ルーバ）２２および水平フラップ（フラップ）２３によって風向が調整され、任意のエリアに向けて吹出されるようになっている。ここで、室内熱交換器１７を蒸発器として機能させ冷房運転を行っているとき、室内熱交換器１７を介して冷却されている遮風板２４の表面で結露が発生することがある。
【００２６】
しかるに、本実施形態では、遮風板２４の連結部２７の上面が背面側熱交換器１７Ｄに向って下向きに傾斜された傾斜面２７Ａとされ、該傾斜面２７Ａの最低部位に結露水を排出する排水孔２８が背面側熱交換器１７Ｄの端面と接するように穿設されている。このため、上記のように遮風板２４の表面等で結露水が発生したとしても、該結露水を傾斜面２７Ａに沿って速やかにかつ確実に排水孔２８に導き、該排水孔２８からそれが接している背面側熱交換器１７Ｄの表面へと流出させ、該背面側熱交換器１７Ｄの表面を下方に流下させてドレンパン８内に排出することができる。
【００２７】
従って、遮風板２４での結露水が水滴となって冷風中に飛散し、室内に飛び出す水飛び現象を防止することができる。特に、結露水を傾斜面２７Ａにより背面側熱交換器１７Ｄ側に誘導するようにしているため、万が一遮風板２４から水滴が飛散したとしても、該水滴を確実に筐体２内の背面側、すなわち背面側熱交換器１７Ｄへと誘導できるので、水滴が直接室内側に飛び散るのを防止することができる。また、水飛び現象の防止策として遮風板２４に貼り付ける断熱材を不要にすることができるため、これによって、断熱材の使用量の削減と貼り付け作業の省略化並びにコスト低減を図ることができる。
【００２８】
さらに、排水孔２８が、遮風板２４の幅方向に沿って所定間隔で複数箇所に設けられているため、遮風板２４の幅方向のいずれの部位で結露水が発生したとしても、直近の排水孔２８に導き速やかに排出することができる。従って、結露水が遮風板２４上で滞留することによって生じる水滴の飛散を確実に防止することができる。また、排水孔２８が、遮風板２４の幅方向に沿ったスリット形状の孔とされているため、遮風板２４側から背面側熱交換器１７Ｄに結露水を排出する排水孔２８により構成される排水流路を最小の面積で最大化することが可能となる。従って、遮風機能を十分に満たしながら、必要かつ十分な排水流路を確保することができる。
【００２９】
なお、本発明は、上記実施形態にかかる発明に限定されるものではなく、その要旨を逸脱しない範囲において、適宜変形が可能である。例えば、上記実施形態では、遮風板２４の連結部２７の上面を、背面側熱交換器１７Ｄに向って下向きに傾斜させた傾斜面２７Ａとしているが、逆に、前面側熱交換器１７Ｃに向って下向きに傾斜された傾斜面としてもよく、かかる実施形態も本発明に包含されるものとする。ただし、この場合は、遮風板２４から水滴が飛散したときに、前面側熱交換器１７Ｃ側に誘導されることになり、水滴が直接室内側に飛び出す可能性もあるので、背面側熱交換器１７Ｄに向って傾斜させる方が望ましい。
【００３０】
また、上記実施形態では、室内熱交換器１７のうち、前面側熱交換器を３個の熱交換器１７Ａないし１７Ｃに分割している例について説明したが、前面側熱交換器は、１個ないしは２個、もしくは４個以上の熱交換器によって構成してもよい。さらに、上記実施形態では、複数の前面側熱交換器が全体として、くの字形状に折り曲げられている例について説明したが、前面側に凸状に湾曲されている形状の熱交換器を配設した構成とすることも可能である。
【図面の簡単な説明】
【００３１】
【図１】本発明の一実施形態に係る空気調和機の外観斜視図である。
【図２】図１に示す空気調和機の縦断面図である。
【図３】図１に示す空気調和機の室内熱交換器を斜め上方から見た状態の斜視図である。
【図４】図３に示す室内熱交換器の前面側熱交換器と背面側熱交換器の上端部の拡大側面図である。
【符号の説明】
【００３２】
１  空気調和機
２  筐体
５  前面開口部
１２  吸込みグリル
１３  吸込み口
１４  吹出し口
１７  室内熱交換器
１７Ａ，１７Ｂ，１７Ｃ  前面側熱交換器
１７Ｄ  背面側熱交換器
１８  クロスフローファン（送風ファン）
２４  遮風板
２７Ａ  傾斜面
２８  排水孔
【図１】
2010121826.tif 000003
【図２】
2010121826.tif 000004
【図３】
2010121826.tif 000005
【図４】
2010121826.tif 000006